Podtech/llm-jp-corpus-v4-ja_patent huggingface dataset:
【手続補正書】
【提出日】平成28年4月18日(2016.4.18)
【手続補正１】
【補正対象書類名】特許請求の範囲
【補正対象項目名】全文
【補正方法】変更
【補正の内容】
【特許請求の範囲】
【請求項１】
遊技機の前面側を構成する前扉と、
前記前扉の前面に設けられ、複数の遊技媒体を貯留可能な貯留手段と、
前記前扉の後面に設けられ、前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材の先端から基端側へ向かって伸びる分割線を挟んで一方側の先端と他方側の先端とが相対的に遠ざかるように前記金属板材の板面に対して前記一方側の先端のみを直角方向へ屈曲させ、基端側へ向かうに従って隙間が狭くなるように形成された不正防止部材を具備し、
前記通過口の開口縁の一部が前記金属板材における前記隙間と連通しており、
前記球送り手段には、前記不正防止部材を収容可能な収容部が形成され、
前記通過口の、前記発射位置から発射された遊技媒体の進行方向側の所定部位に前記隙間が位置するように、前記不正防止部材が前記収容部に収容され、
さらに、前記金属板材における前記直角方向に屈曲していない非屈曲部の面積は、前記直角方向に屈曲している部位の面積よりも大きく、
前記前扉が閉鎖された状態になると、前記通過口を介して遊技媒体を前記発射位置に送出可能になり、遊技媒体に設けられた線材を、前記前扉側の前記不正防止部材の前記隙間に誘導可能になる
ことを特徴とする遊技機。
【請求項２】
前記通過口は、遊技媒体が通過可能な第１開口と、遊技媒体が通過不能であり線材が進入可能な第２開口と、が連続して形成されたものである、
ことを特徴とする請求項１に記載の遊技機。
【手続補正２】
【補正対象書類名】明細書
【補正対象項目名】０００２
【補正方法】変更
【補正の内容】
【０００２】
パチンコ機等の遊技機では、本体枠と扉枠との隙間からピアノ線等の細長い不正工具を遊技領域内に侵入させて、受入口への遊技媒体の受入れを検知するセンサを誤作動させたり、遊技領域内に植設された障害釘を曲げたりする不正行為が行われる問題があった。この問題に対して、扉枠を開閉可能に支持する一対のヒンジ機構の間に、弾性変形可能な板状のガイド部を備え、扉枠と本体枠の間にバール等を挿入して隙間を広げようとしても、弾性変形するガイド部によって隙間を覆って不正工具を挿入することができないようにしたものが提案されている（例えば、特許文献１）。
【手続補正３】
【補正対象書類名】明細書
【補正対象項目名】０００３
【補正方法】変更
【補正の内容】
【０００３】
【特許文献１】特開２００８−７３３４０号公報
【手続補正４】
【補正対象書類名】明細書
【補正対象項目名】０００４
【補正方法】変更
【補正の内容】
【０００４】
しかしながら、従来の遊技機では、線材を取り付けた遊技媒体を、通常の遊技媒体と同様に貯留部から遊技領域内へ発射して行うような不正行為については考慮されていなかった。
【手続補正５】
【補正対象書類名】明細書
【補正対象項目名】０００５
【補正方法】変更
【補正の内容】
【０００５】
そこで、本発明は上記の実情に鑑み、遊技媒体に線材を付着して行われる不正行為を抑止することが可能な遊技機の提供を課題とするものである。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
本発明は、
遊技機の前面側を構成する前扉と、
前記前扉の前面に設けられ、複数の遊技媒体を貯留可能な貯留手段と、
前記前扉の後面に設けられ、前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材の先端から基端側へ向かって伸びる分割線を挟んで一方側の先端と他方側の先端とが相対的に遠ざかるように前記金属板材の板面に対して前記一方側の先端のみを直角方向へ屈曲させ、基端側へ向かうに従って隙間が狭くなるように形成された不正防止部材を具備し、
前記通過口の開口縁の一部が前記金属板材における前記隙間と連通しており、
前記球送り手段には、前記不正防止部材を収容可能な収容部が形成され、
前記通過口の、前記発射位置から発射された遊技媒体の進行方向側の所定部位に前記隙間が位置するように、前記不正防止部材が前記収容部に収容され、
さらに、前記金属板材における前記直角方向に屈曲していない非屈曲部の面積は、前記直角方向に屈曲している部位の面積よりも大きく、
前記前扉が閉鎖された状態になると、前記通過口を介して遊技媒体を前記発射位置に送出可能になり、遊技媒体に設けられた線材を、前記前扉側の前記不正防止部材の前記隙間に誘導可能になる
ことを特徴とする。
このように、本発明によれば、遊技媒体に線材を付着して行われる不正行為を抑止することが可能な遊技機を提供することができる。
また、本発明とは別に開示する別発明の適用例を以下に示す。
［適用例１］
遊技機であって、
遊技媒体が通過可能に構成された通過手段と、
前記遊技媒体が前記通過手段を通過したことに応じて、抽選に用いられる抽選情報を取得可能な抽選情報取得手段と、
前記抽選情報を用いて、当りであるか否かの抽選を行う抽選手段と、
第１種遊技状態と、前記第１種遊技状態と比べて遊技者に有利な第２種遊技状態と、を含む複数種類の遊技状態の中から１つの遊技状態を選択して実現可能な手段であって、前記抽選が前記当りのうちの少なくとも一部の当りに当選した場合に、該一部の当りに当選した後に、Ｎ回（Ｎは３以上の整数）の前記抽選が行われるまで前記第２種遊技状態を実現した後に、前記第２種遊技状態から前記第１種遊技状態に切り替え可能な遊技状態実現手段と、
前記抽選毎の表示演出を表示可能な表示手段と、
各抽選のそれぞれに対応して前記表示手段を用いて実現すべき表示演出を決定する演出決定手段と、
前記演出決定手段によって決定された表示演出を、前記表示手段を用いて実現する演出制御手段と、
を備え、
前記演出決定手段は、
前記第２種遊技状態における前記Ｎ回に亘って行われ得る前記抽選のうちの１回目からＭ回目（Ｍは２以上Ｎ未満の整数）までのＭ回の抽選に対応して実現されるＭ回の表示演出として、目標が達成される表示演出を実現することによって特定の当りを示唆するための前記目標を前記Ｍ回の表示演出を通じて説明するように構成された表示演出である第１種表示演出を決定可能であり、
Ｍ＋１回目以降の抽選に対応して実現される前記表示演出として、前記目標が達成されるか否かを導出する表示演出を含む第２種表示演出を決定可能である、
遊技機。
【手続補正書】
【提出日】平成28年4月18日(2016.4.18)
【手続補正１】
【補正対象書類名】特許請求の範囲
【補正対象項目名】全文
【補正方法】変更
【補正の内容】
【特許請求の範囲】
【請求項１】
遊技機の前面側を構成する前扉と、
前記前扉の前面に設けられ、複数の遊技媒体を貯留可能な貯留手段と、
前記前扉の後面に設けられ、前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材の先端から基端側へ向かって伸びる分割線を挟んで一方側の先端と他方側の先端とが相対的に遠ざかるように前記金属板材の板面に対して前記一方側の先端のみを直角方向へ屈曲させ、基端側へ向かうに従って隙間が狭くなるように形成された不正防止部材を具備し、
前記球送り手段には、前記不正防止部材を収容可能な収容部が形成され、該収容部に前記不正防止部材が設けられ、
さらに、前記金属板材における前記直角方向に屈曲していない非屈曲部の面積は、前記直角方向に屈曲している部位の面積よりも大きく、
前記前扉が閉鎖された状態になると、前記通過口を介して遊技媒体を前記発射位置に送出可能になり、遊技媒体に設けられた線材を、前記前扉側の前記不正防止部材の前記隙間に誘導可能になる
ことを特徴とする遊技機。
【手続補正２】
【補正対象書類名】明細書
【補正対象項目名】０００２
【補正方法】変更
【補正の内容】
【０００２】
パチンコ機等の遊技機では、本体枠と扉枠との隙間からピアノ線等の細長い不正工具を遊技領域内に侵入させて、受入口への遊技媒体の受入れを検知するセンサを誤作動させたり、遊技領域内に植設された障害釘を曲げたりする不正行為が行われる問題があった。この問題に対して、扉枠を開閉可能に支持する一対のヒンジ機構の間に、弾性変形可能な板状のガイド部を備え、扉枠と本体枠の間にバール等を挿入して隙間を広げようとしても、弾性変形するガイド部によって隙間を覆って不正工具を挿入することができないようにしたものが提案されている（例えば、特許文献１）。
【手続補正３】
【補正対象書類名】明細書
【補正対象項目名】０００３
【補正方法】変更
【補正の内容】
【０００３】
【特許文献１】特開２００８−７３３４０号公報
【手続補正４】
【補正対象書類名】明細書
【補正対象項目名】０００４
【補正方法】変更
【補正の内容】
【０００４】
しかしながら、従来の遊技機では、線材を取り付けた遊技媒体を、通常の遊技媒体と同様に貯留部から遊技領域内へ発射して行うような不正行為については考慮されていなかった。
【手続補正５】
【補正対象書類名】明細書
【補正対象項目名】０００５
【補正方法】変更
【補正の内容】
【０００５】
そこで、本発明は上記の実情に鑑み、遊技媒体に線材を付着して行われる不正行為を抑止することが可能な遊技機の提供を課題とするものである。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
本発明は、
遊技機の前面側を構成する前扉と、
前記前扉の前面に設けられ、複数の遊技媒体を貯留可能な貯留手段と、
前記前扉の後面に設けられ、前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材の先端から基端側へ向かって伸びる分割線を挟んで一方側の先端と他方側の先端とが相対的に遠ざかるように前記金属板材の板面に対して前記一方側の先端のみを直角方向へ屈曲させ、基端側へ向かうに従って隙間が狭くなるように形成された不正防止部材を具備し、
前記球送り手段には、前記不正防止部材を収容可能な収容部が形成され、該収容部に前記不正防止部材が設けられ、
さらに、前記金属板材における前記直角方向に屈曲していない非屈曲部の面積は、前記直角方向に屈曲している部位の面積よりも大きく、
前記前扉が閉鎖された状態になると、前記通過口を介して遊技媒体を前記発射位置に送出可能になり、遊技媒体に設けられた線材を、前記前扉側の前記不正防止部材の前記隙間に誘導可能になる
ことを特徴とする。
このように、本発明によれば、遊技媒体に線材を付着して行われる不正行為を抑止することが可能な遊技機を提供することができる。
また、本発明とは別に開示する別発明の適用例を以下に示す。
［適用例１］
遊技機であって、
遊技媒体が通過可能に構成された通過手段と、
前記遊技媒体が前記通過手段を通過したことに応じて、抽選に用いられる情報を取得可能な抽選情報取得手段と、
前記抽選情報を用いて、当りであるか否かの抽選を行う抽選手段と、
前記抽選毎の表示演出を表示可能な表示手段と、
各抽選のそれぞれに対応して前記表示手段を用いて実現すべき表示演出を決定する演出決定手段と、
前記演出決定手段によって決定された表示演出を、前記表示手段を用いて実現する演出制御手段と、
を備え、
前記抽選手段による前記抽選の前記当りの種類は、第１種当りと、前記第１種当りとは遊技者にとっての特典が異なる第２種当りと、前記第１種当りと前記第２種当りとのいずれよりも遊技者にとって不利な第３種当りと、を含み、
前記演出決定手段は、前記表示演出のパターンとして、
前記第１種当りに当選した場合と、前記抽選に落選した場合と、のためのパターンであって、第１特定演出が行われるか否か導出する第１特定導出演出を実現し、前記第１特定導出演出の後に前記第１特定演出を実現し、前記第１特定演出の後に前記第１種当りに当選したか否かを示唆する演出を実現する第１種演出パターンと、
前記抽選に落選した場合のためのパターンであって、前記第１種演出パターンと同様に、前記第１特定導出演出を実現するものの、前記第１種演出パターンとは異なり、前記第１特定導出演出の後に、前記第１特定演出を実現せずに、第２特定演出が行われるか否かを導出する第２特定導出演出を実現し、前記第２特定導出演出の後に、前記第２特定演出を実現せずに、演出を終了することによって、前記抽選に落選したことを示唆する演出を実現する第２種演出パターンと、
前記第２種当りまたは前記第３種当りに当選した場合のためのパターンであって、前記第１種演出パターンおよび前記第２種演出パターンと同様に、前記第１特定導出演出を実現し、前記第１種演出パターンとは異なるものの前記第２種演出パターンと同様に、前記第１特定導出演出の後に、前記第１特定演出を実現せずに、前記第２特定導出演出を実現するものの、前記第２種演出パターンとは異なり、前記第２特定導出演出の後に前記第２特定演出を実現することによって、前記第２種当りまたは前記第３種当りに当選したことを示唆する演出を実現する第３種演出パターンと、
を、前記抽選の結果に応じて決定可能である、
遊技機。
【手続補正書】
【提出日】平成28年4月18日(2016.4.18)
【手続補正１】
【補正対象書類名】特許請求の範囲
【補正対象項目名】全文
【補正方法】変更
【補正の内容】
【特許請求の範囲】
【請求項１】
遊技機の前面側を構成する前扉と、
前記前扉の前面に設けられ、複数の遊技媒体を貯留可能な貯留手段と、
前記前扉の後面に設けられ、前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材の先端から基端側へ向かって伸びる分割線を挟んで一方側の先端と他方側の先端とが相対的に遠ざかるように前記金属板材の板面に対して前記一方側の先端のみを直角方向へ屈曲させ、基端側へ向かうに従って隙間が狭くなるように形成された不正防止部材を具備し、
前記通過口の開口縁の一部が前記金属板材における前記隙間と連通しており、
前記球送り手段には、前記不正防止部材を収容可能な収容部が形成され、該収容部に前記不正防止部材が設けられ、
前記前扉が閉鎖された状態になると、前記通過口を介して遊技媒体を前記発射位置に送出可能になり、遊技媒体に設けられた線材を、前記前扉側の前記不正防止部材の前記隙間に誘導可能になる
ことを特徴とする遊技機。
【手続補正２】
【補正対象書類名】明細書
【補正対象項目名】０００２
【補正方法】削除
【補正の内容】
【手続補正３】
【補正対象書類名】明細書
【補正対象項目名】０００３
【補正方法】変更
【補正の内容】
【０００３】
パチンコ機等の遊技機では、本体枠と扉枠との隙間からピアノ線等の細長い不正工具を遊技領域内に侵入させて、受入口への遊技媒体の受入れを検知するセンサを誤作動させたり、遊技領域内に植設された障害釘を曲げたりする不正行為が行われる問題があった。この問題に対して、扉枠を開閉可能に支持する一対のヒンジ機構の間に、弾性変形可能な板状のガイド部を備え、扉枠と本体枠の間にバール等を挿入して隙間を広げようとしても、弾性変形するガイド部によって隙間を覆って不正工具を挿入することができないようにしたものが提案されている（例えば、特許文献１）。
【手続補正４】
【補正対象書類名】明細書
【補正対象項目名】０００４
【補正方法】変更
【補正の内容】
【０００４】
しかしながら、従来の遊技機では、線材を取り付けた遊技媒体を、通常の遊技媒体と同様に貯留部から遊技領域内へ発射して行うような不正行為については考慮されていなかった。
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】変更
【補正の内容】
【０００６】
そこで、本発明は上記の実情に鑑み、遊技媒体に線材を付着して行われる不正行為を抑止することが可能な遊技機の提供を課題とするものである。
【手続補正７】
【補正対象書類名】明細書
【補正対象項目名】０００７
【補正方法】変更
【補正の内容】
【０００７】
本発明は、
遊技機の前面側を構成する前扉と、
前記前扉の前面に設けられ、複数の遊技媒体を貯留可能な貯留手段と、
前記前扉の後面に設けられ、前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材の先端から基端側へ向かって伸びる分割線を挟んで一方側の先端と他方側の先端とが相対的に遠ざかるように前記金属板材の板面に対して前記一方側の先端のみを直角方向へ屈曲させ、基端側へ向かうに従って隙間が狭くなるように形成された不正防止部材を具備し、
前記通過口の開口縁の一部が前記金属板材における前記隙間と連通しており、
前記球送り手段には、前記不正防止部材を収容可能な収容部が形成され、該収容部に前記不正防止部材が設けられ、
前記前扉が閉鎖された状態になると、前記通過口を介して遊技媒体を前記発射位置に送出可能になり、遊技媒体に設けられた線材を、前記前扉側の前記不正防止部材の前記隙間に誘導可能になる
ことを特徴とする。
また、本発明とは別に開示する別発明の手段を以下に示す。
手段１：遊技機において、
「遊技者の操作によって遊技媒体が打込まれる遊技領域と、
該遊技領域内の正面視略中央の位置で前後方向に貫通する開口部を有し、該開口部よりも外側に前方へ突出する複数の障害釘が植設されると共に該障害釘により前記開口部の下側へ遊技媒体を誘導可能とされ、前記遊技領域の後端を区画する板状の遊技パネルと、
該遊技パネルの後側に前記開口部を通して遊技者側から視認可能に支持され、前記遊技領域内へ遊技媒体が打込まれることで変化する遊技状態に応じて所定の演出画像を表示可能な演出表示手段と、
該演出表示手段よりも前側で前記遊技パネルの前記開口部に取付けられると共に枠状に形成され、上辺及び左右両辺から前記遊技パネルの前面よりも前方へ突出し前記遊技領域内の遊技媒体が前記開口部内へ侵入するのを阻止可能とされた周壁部を有するセンター役物と、
該センター役物の下辺に略沿って内周よりも外側の位置から前記遊技パネルの前面よりも前方へ延出し、前記遊技領域内に植設された前記障害釘に当接して上方へ跳ねた遊技媒体が前記開口部内へ侵入するのを防止する透明板状の侵入防止部材と
を具備する」ものであることを特徴とする。
【手続補正８】
【補正対象書類名】明細書
【補正対象項目名】００７５
【補正方法】変更
【補正の内容】
【００７５】
このように、本発明によれば、遊技媒体に線材を付着して行われる不正行為を抑止することが可能な遊技機を提供することができる。
【手続補正９】
【補正対象書類名】明細書
【補正対象項目名】１１０６
【補正方法】変更
【補正の内容】
【１１０６】
【特許文献１】特開２００８−７３３４０号公報
【手続補正書】
【提出日】平成28年10月4日(2016.10.4)
【手続補正１】
【補正対象書類名】特許請求の範囲
【補正対象項目名】全文
【補正方法】変更
【補正の内容】
【特許請求の範囲】
【請求項１】
３相ブリッジ接続された複数のスイッチング素子を所定のＰＷＭ信号パターンに従いオンオフ制御することで、直流を３相交流に変換するインバータ回路を介してモータを駆動するモータ制御装置において、
前記インバータ回路の直流側に接続され、電流値に対応する信号を発生する電流検出素子と、
前記モータの相電流に基づいてロータ位置を決定し、前記ロータ位置に追従するように３相のＰＷＭ信号パターンを生成するＰＷＭ信号生成手段と、
前記電流検出素子に発生した信号と前記ＰＷＭ信号パターンとに基づいて、前記モータの相電流を検出する電流検出手段とを備え、
前記ＰＷＭ信号生成手段は、前記電流検出手段が、前記ＰＷＭ信号の搬送波周期内で固定された２点のタイミングで２相の電流を検出可能となるように、３相のＰＷＭ信号パターンを生成するもので、
３相のＰＷＭ信号のうち１相については、前記搬送波周期の任意の位相を基準として遅れ側，進み側の双方向にデューティを増減させ、
他の１相については、前記基準より前記搬送波周期の１／２離れた位相を基準として遅れ側，進み側の双方向にデューティを増減させ、
残りの１相については、前記搬送波周期の任意の位相を基準として遅れ側，進み側の一方向にデューティを増減させることを特徴とするモータ制御装置。
【請求項２】
前記ＰＷＭ信号生成手段は、三角波を搬送波として使用し、
前記三角波の振幅が増加する区間を第１区間とし、振幅が減少する区間を第２区間とすると、
３相のＰＷＭ信号のうち２相については、三角波振幅とＰＷＭ指令との大小関係を比較してＰＷＭ信号を出力するための比較条件が、前記第１及び第２区間を通じて一定であると共に、前記比較条件が互いの相で反転したものであり、
他の１相については、前記比較条件が前記第１区間と前記第２区間とで異なり、設定されたデューティの２倍値と前記搬送波振幅の最大値とを比較し、
前記デューティの２倍値が前記最大値よりも小さい場合は、前記第１及び第２区間の何れか一方の区間で出力されるＰＷＭ信号のデューティを前記最大値に設定すると共に、他方の区間で出力されるＰＷＭ信号のデューティを前記デューティの２倍値に設定し、
前記デューティの２倍値が前記最大値よりも大きい場合は、前記一方の区間で出力されるＰＷＭ信号のデューティを前記最大値の２倍から前記デューティの２倍値を減じた値に設定すると共に、前記他方の区間で出力されるＰＷＭ信号のデューティを前記最大値に設定することを特徴とする請求項１記載のモータ制御装置。
【請求項３】
圧縮機と、室外側熱交換器と、減圧装置と、室内側熱交換器とを有し、
前記圧縮機を構成するモータは、請求項１又は２記載のモータ制御装置により制御されるヒートポンプシステムを備えて構成されることを特徴とする空気調和機。
【請求項４】
モータと、
このモータを制御する請求項１又は２記載のモータ制御装置とを有し、
前記モータが発生する回転駆動力により洗濯運転を行うことを特徴とする洗濯機。
【請求項５】
圧縮機と、凝縮器と、蒸発器とを有するヒートポンプシステムを備え、
前記モータ制御装置は、前記圧縮機を構成するモータを駆動対象とし、前記ヒートポンプシステムにより乾燥運転を行うことを特徴とする請求項４記載の洗濯機。
【請求項６】
圧縮機と、凝縮器と、蒸発器とを有し、
前記圧縮機を構成するモータは、請求項１又は２記載のモータ制御装置により制御される冷凍サイクルを備えて構成されることを特徴とする冷蔵庫。
【手続補正書】
【提出日】平成28年4月11日(2016.4.11)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
少なくとも可変表示が開始されてから表示結果が導出表示されるまでに一旦仮停止表示させた後に可変表示を再度実行する再可変表示を所定回実行する複数種類の再可変表示パターンを含む可変表示パターンにもとづいて可変表示を実行可能な可変表示実行手段を備え、
前記可変表示実行手段は、前記有利状態に制御される場合には、前記有利状態に制御されない場合と比較して、高い割合により再可変表示の実行回数が多い前記再可変表示パターンにもとづいて可変表示を実行し、
前記再可変表示パターンにおける再可変表示の実行回数に応じて仮停止表示後に実行されるリーチ種類の割合が異なり、
前記再可変表示パターンにもとづいて実行される可変表示において、前記有利状態に制御されることを予告する予告演出として複数段階の予告ステップにより行うステップアップ予告演出を実行するか否かを決定する予告演出決定手段と、
前記予告演出決定手段により前記ステップアップ予告演出を実行することが決定されたときに、前記再可変表示パターンにおける再可変表示の各々において複数段階の予告ステップを実行可能な予告演出実行手段とをさらに備え、
前記可変表示実行手段は、前記再可変表示パターンにもとづいて可変表示が実行されているときに、再可変表示の回数に関する演出を実行し、
前記再可変表示パターンにおいて実行される再可変表示の実行回数に応じて異なる割合により、各再可変表示において第１段階の予告ステップから複数段階のうちのいずれかの段階の予告ステップまで前記ステップアップ予告演出が実行される
ことを特徴とする遊技機。
【手続補正２】
【補正対象書類名】明細書
【補正対象項目名】００１２
【補正方法】変更
【補正の内容】
【００１２】
本発明による遊技機は、可変表示を行い、遊技者にとって有利な有利状態（例えば、大当り遊技状態）に制御可能な遊技機であって、少なくとも可変表示が開始されてから表示結果が導出表示されるまでに一旦仮停止表示させた後に可変表示を再度実行する再可変表示を所定回実行する複数種類の再可変表示パターン（例えば、擬似連を伴う変動パターン＃１５〜＃３２，＃３４，＃３６〜＃３９，＃４１〜＃４４，＃４６，＃４８〜＃５１，＃５３〜＃５６，＃５８，＃６０〜＃６３，＃６５〜＃６８）を含む可変表示パターンにもとづいて可変表示を実行可能な可変表示実行手段を備え、可変表示実行手段は、有利状態に制御される場合には、有利状態に制御されない場合と比較して、高い割合により再可変表示の実行回数が多い再可変表示パターンにもとづいて可変表示を実行し、再可変表示パターンにおける再可変表示の実行回数に応じて仮停止表示後に実行されるリーチ種類の割合が異なり、再可変表示パターンにもとづいて実行される可変表示において、有利状態に制御されることを予告する予告演出として複数段階の予告ステップにより行うステップアップ予告演出を実行するか否かを決定する予告演出決定手段と、予告演出決定手段によりステップアップ予告演出を実行することが決定されたときに、再可変表示パターンにおける再可変表示の各々において複数段階の予告ステップを実行可能な予告演出実行手段とをさらに備え、可変表示実行手段は、再可変表示パターンにもとづいて可変表示が実行されているときに、再可変表示の回数に関する演出を実行し、再可変表示パターンにおいて実行される再可変表示の実行回数に応じて異なる割合により、各再可変表示において第１段階の予告ステップから複数段階のうちのいずれかの段階の予告ステップまでステップアップ予告演出が実行されることを特徴とする。
そのような構成によって、再可変表示の演出が実行される遊技機において、有利状態に対する期待感を高めることができる。
【手続補正書】
【提出日】平成28年2月5日(2016.2.5)
【手続補正１】
【補正対象書類名】特許請求の範囲
【補正対象項目名】全文
【補正方法】変更
【補正の内容】
【特許請求の範囲】
【請求項１】
長手方向を有し、かつ前記長手方向と直交する短手方向の寸法が前記長手方向に沿って変化する部分を含む吸収体を用いて吸収性物品を製造する方法であって、
前記吸収性物品を製造する方法は、搬送路上を前記長手方向に連続的に搬送されている前記吸収体を、複数の照明で照らしつつ、１つのカメラによって撮影することにより、それぞれの前記吸収体の外形を検査する外形検査工程を含み、
前記外形検査工程は、
前記１つのカメラを、前記吸収体の短手方向の全体を写すことができる距離をもって、前記搬送路の上方に配置するカメラ配置工程と、
前記複数の照明を、前記１つのカメラよりも、前記吸収体の搬送方向の上流側及び下流側にそれぞれ配置する照明配置工程と、
前記１つのカメラを用いて、前記吸収体のそれぞれを撮影して、それぞれの前記吸収体の全体の画像を取得する撮影工程と、
前記撮影工程において取得された画像から、それぞれの前記吸収体の外形が許容できるものか否か判断する外形判断工程と、
を少なくとも含み、
前記複数の照明のうち、前記吸収体の搬送方向の上流側に配置されている照明の光軸は前記吸収体の搬送方向の下流方向に傾けられており、
前記複数の照明のうち、前記吸収体の搬送方向の下流側に配置されている照明の光軸は前記吸収体の搬送方向の上流方向に傾けられており、
前記吸収体の搬送方向ＭＤの上流側に配置されている照明の光軸と、前記吸収体の搬送方向ＭＤの下流側に配置されている照明の光軸とは、前記吸収体に到達する前に、前記吸収体の搬送方向において交差しない、
吸収性物品を製造する方法。
【請求項２】
前記カメラ配置工程において、前記１つのカメラはさらに、１つの前記吸収体の長手方向の全体を写すことができない距離をもって設置され、
前記撮影工程において、それぞれの前記吸収体につき複数回撮影する、
請求項１に記載の吸収性物品を製造する方法。
【請求項３】
前記撮影工程では、それぞれの前記吸収体を連続して撮影し、
前記撮影工程で取得された、それぞれの前記吸収体の複数の画像はそれぞれ、最初に撮影した画像を除いて、直前に撮影した画像と前記吸収体の前記長手方向にオーバーラップしている、
請求項２に記載の吸収性物品を製造する方法。
【請求項４】
前記複数の照明の光軸の鉛直方向からの傾斜角度はそれぞれ、２０度〜４０度である、
請求項１〜３のいずれか１項に記載の吸収性物品を製造する方法。
【請求項５】
前記複数の照明は、ＬＥＤ照明である、
請求項１〜４のいずれか１項に記載の吸収性物品を製造する方法。
【請求項６】
前記カメラによって画像を取得する箇所の照度は、２０００ルクス〜６０００ルクスである、
請求項１〜５のいずれか１項に記載の吸収性物品を製造する方法。
【請求項７】
前記複数の照明はそれぞれ、前記搬送方向に直交する方向に長手方向を有する形状であり、
前記複数の照明の前記搬送方向に直交する方向の寸法は、前記吸収体の前記短手方向の寸法よりも大きい、
請求項１〜６のいずれか１項に記載の吸収性物品を製造する方法。
【請求項８】
さらに、前記外形判断工程において、前記吸収体のうちの、外形が許容できないと判断された吸収体を排出する排出工程を含む、
請求項１〜７のいずれか１項に記載の吸収性物品を製造する方法。
【請求項９】
さらに、前記撮影工程において取得された画像に基づいて、前記吸収体が所定の坪量以下の部分を含むか否かを判断する目付け判断工程含む、
請求項１〜８のいずれか１項に記載の吸収性物品を製造する方法。
【請求項１０】
さらに、前記目付け判断工程において、前記吸収体のうちの、所定の坪量以下の部分を含むと判断された吸収体を排出する排出工程を含む、
請求項９に記載の吸収性物品を製造する方法。
【手続補正書】
【提出日】平成28年3月9日(2016.3.9)
【手続補正１】
【補正対象書類名】明細書
【補正対象項目名】００２０
【補正方法】変更
【補正の内容】
【００２０】
「放射線画像が複数の小放射線画像からなる」とは、複数の小放射線画像を結合することにより１つの放射線画像を構成するものであってもよく、互いに間隔を空けた複数の小放射線画像により１つの放射線画像を構成するものであってもよい。また、複数の小放射線画像を結合する場合、複数の小放射線画像の一部が重なることにより１つの放射線画像を構成するものであってもよく、複数の小放射線画像を隙間なく並べることにより１つの放射線画像を構成するものであってもよい。
【手続補正２】
【補正対象書類名】明細書
【補正対象項目名】００４８
【補正方法】変更
【補正の内容】
【００４８】
また、小画像領域Ｓ０の高さは放射線画像Ｇ０と同一でなくてもよい。例えば、図８に示すように、処理対象画素Ｐ１を中心とした所定サイズ（Ｌ２×Ｌ２；Ｌ２は例えば１０画素）の矩形の領域を小画像領域Ｓ０として設定してもよい。
【手続補正３】
【補正対象書類名】図面
【補正対象項目名】図１７
【補正方法】変更
【補正の内容】
【図１７】
2016032623.tif 000001
【手続補正書】
【提出日】平成28年3月17日(2016.3.17)
【手続補正１】
【補正対象書類名】特許請求の範囲
【補正対象項目名】全文
【補正方法】変更
【補正の内容】
【特許請求の範囲】
【請求項１】
前面に遊技媒体が流下する遊技領域を有し開口部が形成された遊技板と、
前記開口部に設けられ、遊技媒体が通過可能な通路を形成する透過性を有した通路部と、前記通路の少なくとも一部を遊技者に視認可能にする視認部位を有した態様で前記通路の前側を装飾する部分装飾部と、を有する第一装飾手段と、
前記遊技板の後方に設けられ、前記第一装飾手段の後方の待機位置と、前記開口部内の演出位置との間を移動可能な第二装飾手段と、
を備え、
前記視認部位を介して視認可能な前記通路の後方の所定位置を前記待機位置として前記第二装飾手段が配置されることによって、前記待機位置における前記第二装飾手段は、前記演出位置にて視認可能となる装飾のうちの一部分が、前記視認部位及び前記通路を介して遊技者から視認可能にされ、
さらに、前記第二装飾手段は、発光部を有するものであって、
前記第二装飾手段が前記待機位置に位置する際に前記発光部の発光状態を変化させて、前記視認部位を介して視認可能とされる前記第二装飾手段の装飾の視認性に変化を与える視認性変更手段を備えた
ことを特徴とする遊技機。
【手続補正２】
【補正対象書類名】明細書
【補正対象項目名】０００５
【補正方法】変更
【補正の内容】
【０００５】
しかし、上記のような従来の遊技機は広く知られており、ワープ通路などに遊技者の興味を持たせることが難しくなっている。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
そこで、本発明は、上記の実状に鑑み、ワープ通路などの通路部に遊技者の興味を持たせる遊技機の提供を目的とする。
【手続補正６】
【補正対象書類名】明細書
【補正対象項目名】０００９
【補正方法】変更
【補正の内容】
【０００９】
手段１：「前面に遊技媒体が流下する遊技領域を有し開口部が形成された遊技板と、
前記開口部に設けられ、遊技媒体が通過可能な通路を形成する透過性を有した通路部と、前記通路の少なくとも一部を遊技者に視認可能にする視認部位（覗き窓）を有した態様で前記通路の前側を装飾する部分装飾部と、を有する第一装飾手段（センターフレーム）と、
前記遊技板の後方に設けられ、前記第一装飾手段の後方の待機位置と、前記開口部内の演出位置との間を移動可能な第二装飾手段（可動装飾体）と、
を備え、
前記視認部位を介して視認可能な前記通路の後方の所定位置を前記待機位置として前記第二装飾手段が配置されることによって、前記待機位置における前記第二装飾手段は、前記演出位置にて視認可能となる装飾のうちの一部分が、前記視認部位及び前記通路を介して遊技者から視認可能にされ、
さらに、前記第二装飾手段は、発光部を有するものであって、
前記第二装飾手段が前記待機位置に位置する際に前記発光部の発光状態を変化させて、前記視認部位を介して視認可能とされる前記第二装飾手段の装飾の視認性に変化を与える視認性変更手段を備えた」ことを特徴とする。
【手続補正７】
【補正対象書類名】明細書
【補正対象項目名】００３６
【補正方法】変更
【補正の内容】
【００３６】
本発明によれば、ワープ通路などの通路部に遊技者の興味を持たせる遊技機を提供することができる。
【手続補正書】
【提出日】平成28年4月11日(2016.4.11)
【手続補正１】
【補正対象書類名】特許請求の範囲
【補正対象項目名】全文
【補正方法】変更
【補正の内容】
【特許請求の範囲】
【請求項１】
可変表示の第１開始条件が成立したことにもとづいて、第１識別情報を可変表示する第１可変表示手段、または可変表示の第２開始条件が成立したことにもとづいて、第２識別情報を可変表示する第２可変表示手段に特定表示結果が導出表示されたときに、遊技者にとって有利な有利状態に制御可能な遊技機であって、
遊技の進行を制御する遊技制御手段と、
前記遊技制御手段からの情報にもとづいて演出を実行する演出制御手段とを備え、
前記遊技制御手段は、
第１識別情報の可変表示に関する情報を、第１保留記憶として記憶する第１保留記憶手段と、
第２識別情報の可変表示に関する情報を、前記第１保留記憶の記憶領域とは異なる記憶領域に第２保留記憶として記憶する第２保留記憶手段と、
前記有利状態に制御するか否かを決定する事前決定手段と、
前記第１開始条件が成立した前記第１可変表示手段における可変表示開始時から可変表示終了時までの可変表示時間を含む可変表示パターンを選択するための第１可変表示パターン選択処理と、前記第２開始条件が成立した前記第２可変表示手段における可変表示開始時から可変表示終了時までの可変表示時間を含む可変表示パターンを選択するための第２可変表示パターン選択処理とを、同一の処理ルーチンにより実行する可変表示パターン選択手段と、
前記第１開始条件または前記第２開始条件が成立したときに記憶された前記第１開始条件が成立したのか前記第２開始条件が成立したのかを特定可能な情報にもとづいて所定の処理を行う処理手段とを含む
ことを特徴とする遊技機。
【手続補正２】
【補正対象書類名】明細書
【補正対象項目名】０００１
【補正方法】変更
【補正の内容】
【０００１】
本発明は、可変表示の第１開始条件が成立したことにもとづいて、第１識別情報を可変表示する第１可変表示手段、または可変表示の第２開始条件が成立したことにもとづいて、第２識別情報を可変表示する第２可変表示手段に特定表示結果が導出表示されたときに、遊技者にとって有利な有利状態に制御可能なパチンコ遊技機等の遊技機に関する。
【手続補正３】
【補正対象書類名】明細書
【補正対象項目名】００１０
【補正方法】変更
【補正の内容】
【００１０】
本発明による遊技機は、可変表示の第１開始条件が成立したことにもとづいて、第１識別情報を可変表示する第１可変表示手段、または可変表示の第２開始条件が成立したことにもとづいて、第２識別情報を可変表示する第２可変表示手段に特定表示結果（例えば、大当り図柄）が導出表示されたときに、遊技者にとって有利な有利状態（例えば、大当り遊技状態）に制御可能な遊技機であって、遊技の進行を制御する遊技制御手段と、遊技制御手段からの情報にもとづいて演出を実行する演出制御手段とを備え、遊技制御手段は、第１識別情報の可変表示に関する情報を、第１保留記憶として記憶する第１保留記憶手段と、第２識別情報の可変表示に関する情報を、第１保留記憶の記憶領域とは異なる記憶領域に第２保留記憶として記憶する第２保留記憶手段と、有利状態に制御するか否かを決定する事前決定手段（例えば、遊技制御用マイクロコンピュータ５６０におけるステップＳ６２，Ｓ６３の処理を実行する部分）と、第１開始条件が成立した第１可変表示手段における可変表示開始時から可変表示終了時までの可変表示時間を含む可変表示パターンを選択するための第１可変表示パターン選択処理と、第２開始条件が成立した第２可変表示手段における可変表示開始時から可変表示終了時までの可変表示時間を含む可変表示パターンを選択するための第２可変表示パターン選択処理とを、同一の処理ルーチンにより実行する可変表示パターン選択手段と、第１開始条件または第２開始条件が成立したときに記憶された第１開始条件が成立したのか第２開始条件が成立したのかを特定可能な情報にもとづいて所定の処理を行う処理手段とを含むことを特徴とする。
【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
情報処理装置が、被加工物の加工表面が保護膜層および反応層を含む表面反応モデルにおいて複数のフラックスを演算するフラックス演算手順と、
前記情報処理装置が、前記保護膜層の除去を記述する除去項に基づいてエッチング後の前記保護膜層の厚さを演算する演算式において前記複数のフラックスの比較結果に応じて前記除去項を切り替えて前記保護膜層の厚さを演算する保護膜層演算手順と
を具備するエッチング特性推定方法。
【請求項２】
前記複数のフラックスは、前記加工表面へ入射する入射フラックスと前記被加工物のエッチングにより放出されるアウトフラックスとを含む
請求項１記載のエッチング特性推定方法。
【請求項３】
前記複数のフラックスは、窒素および水素のフラックスを少なくとも含む
請求項１または２記載のエッチング特性推定方法。
【請求項４】
前記情報処理装置は、前記保護膜層演算手順において、前記比較結果に応じて少なくとも３つの異なる項のいずれかに前記除去項を切り替える
請求項２または３記載のエッチング特性推定方法。
【請求項５】
前記情報処理装置は、前記保護膜層演算手順において、前記複数のフラックスの差または比に応じて前記除去項を切り替える
請求項１から４のいずれかに記載のエッチング特性推定方法。
【請求項６】
前記情報処理装置が、前記保護膜層の厚さに基づいて結晶欠陥を演算する結晶欠陥演算手順をさらに具備する
請求項１から５のいずれかに記載のエッチング特性推定方法。
【請求項７】
前記情報処理装置が、前記結晶欠陥の演算結果に基づいて前記被加工物の形状を演算する形状演算手順をさらに具備する
請求項６記載のエッチング特性推定方法。
【請求項８】
前記情報処理装置が、前記被加工物に対するエッチングに用いられるプラズマの密度を演算するプラズマ状態演算手順をさらに具備する
請求項１から７のいずれかに記載のエッチング特性推定方法。
【請求項９】
情報処理装置が、被加工物の加工表面が保護膜層および反応層を含む表面反応モデルにおいて複数のフラックスを演算するフラックス演算手順と、
前記情報処理装置が、前記保護膜層の除去を記述する除去項に基づいてエッチング後の前記保護膜層の厚さを演算する演算式において前記複数のフラックスの比較結果に応じて前記除去項を切り替えて前記保護膜層の厚さを演算する保護膜層演算手順と
をコンピュータに実行させるためのプログラム。
【請求項１０】
被加工物の加工表面が保護膜層および反応層を含む表面反応モデルにおいて複数のフラックスを演算するフラックス演算部と、
前記保護膜層の除去を記述する除去項に基づいてエッチング後の前記保護膜層の厚さを演算する演算式において前記複数のフラックスの比較結果に応じて前記除去項を切り替えて前記保護膜層の厚さを演算する保護膜層演算部と
を具備する情報処理装置。
【請求項１１】
情報処理装置が、被加工物の加工表面が保護膜層および反応層を含む表面反応モデルにおいて複数のフラックスを演算するフラックス演算手順と、
前記情報処理装置が、前記保護膜層の除去を記述する除去項に基づいてエッチング後の前記保護膜層の厚さを演算する演算式において前記複数のフラックスの比較結果に応じて前記除去項を切り替えて前記保護膜層の厚さを演算する保護膜層演算手順と、
前記情報処理装置が、前記保護膜の厚さに基づいて前記被加工物の加工形状および結晶欠陥の少なくとも一方の変動を演算する加工形状・結晶欠陥演算手順と、
前記情報処理装置が、前記加工形状・結晶欠陥演算手順における演算結果に基づいて半導体デバイスの加工プロセス、ＯＰＣ（Optical Proximity Correction）設計、および、レイアウト設計の少なくとも１つを行う設計手順と
を具備する設計方法。
【請求項１２】
被加工物の加工表面が保護膜層および反応層を含む表面反応モデルにおいて、複数のフラックスを演算するフラックス演算部と、
前記保護膜層の除去を記述する除去項に基づいてエッチング後の前記保護膜層の厚さを演算する演算式において前記複数のフラックスの比較結果に応じて前記除去項を切り替えて前記保護膜層の厚さを演算する保護膜層演算部と、
前記被加工物の加工条件に従って前記被加工物の加工を行う加工部と、
前記被加工物に対するエッチングに用いられるプラズマの密度を前記加工条件に基づいて演算するプラズマ状態演算部と、
前記プラズマ状態演算部の演算結果と前記保護膜層の厚さとに基づいて前記被加工物の加工形状および結晶欠陥の少なくとも一方の変動を演算する加工形状・結晶欠陥演算部と、
前記加工形状・結晶欠陥演算部の演算結果に基づいて前記加工条件を変更する制御部と、
を具備する加工装置。
【請求項１３】
情報処理装置が、被加工物の加工表面が保護膜層および反応層を含む表面反応モデルにおいて、複数のフラックスを演算するフラックス演算部と、
前記情報処理装置が、前記保護膜層の除去を記述する除去項に基づいてエッチング後の前記保護膜層の厚さを演算する演算式において前記複数のフラックスの比較結果に応じて前記除去項を切り替えて前記保護膜層の厚さを演算する保護膜層演算部と、
加工部が、前記被加工物の加工条件に従って前記被加工物の加工を行う加工手順と、
前記情報処理装置が、前記被加工物に対するエッチングに用いられるプラズマの密度を前記加工条件に基づいて演算するプラズマ状態演算手順と、
前記情報処理装置が、前記プラズマ状態演算部の演算結果と前記保護膜層の厚さとに基づいて前記被加工物の加工形状および結晶欠陥の少なくとも一方の変動を演算する加工形状・結晶欠陥演算手順と、
制御部が、前記加工形状・結晶欠陥演算手順の演算結果に基づいて前記加工条件を変更する制御手順と
を具備する製造方法。
【手続補正書】
【提出日】平成28年7月13日(2016.7.13)
【手続補正１】
【補正対象書類名】特許請求の範囲
【補正対象項目名】全文
【補正方法】変更
【補正の内容】
【特許請求の範囲】
【請求項１】
第１ハンドル片及び第２ハンドル片からなるハンドルと、
上記第１ハンドル片に設けられた一対の透孔と、
上記一対の透孔をそれぞれ貫通して上記ハンドルの内部で固定されているとともに、自由端側が開くように傾斜された一対のシャフトと、
それらのシャフトの自由端部にそれぞれ回転可能に支持された回転体とを備えている、美容器。
【手続補正２】
【補正対象書類名】明細書
【補正対象項目名】０００６
【補正方法】変更
【補正の内容】
【０００６】
上記の目的を達成するために、この発明は、第１及び第２ハンドル片をそれらの開口部において接合したハンドルと、前記第１ハンドル片の透孔を貫通してハンドルの内部で固定されているとともに、自由端側が開くように傾斜された一対のシャフトと、それらのシャフトの自由端部にそれぞれ回転可能に支持された回転体とを備えていることを特徴としている。
【手続補正３】
【補正対象書類名】明細書
【補正対象項目名】０００７
【補正方法】変更
【補正の内容】
【０００７】
従って、この発明の美容器においては、第１及び第２ハンドル片を組み付けた後、一対のシャフトを第１ハンドル片の透孔からハンドル内に挿入して、自由端側が開くように傾斜した状態でハンドルの内部に固定することができる。よって、美容器全体のデザインを、従来構成とは異なり、ハンドルに二叉部を形成して、その二叉部に突設した一対のシャフトに回転体を回転可能に支持するというような特定の構成に制約されることなく、自在に設定することができる。
【手続補正４】
【補正対象書類名】明細書
【補正対象項目名】０００８
【補正方法】変更
【補正の内容】
【０００８】
前記の構成において、前記ハンドル内にシャフトホルダを備え、前記シャフトホルダには前記第１ハンドル片の透孔に対向する雌ネジ部材を回転不能に保持し、前記シャフトを前記透孔に貫通させるとともに、その貫通端部に形成された雄ネジ部を前記雌ネジ部材に螺合させるとよい。
【手続補正書】
【提出日】平成28年7月11日(2016.7.11)
【手続補正１】
【補正対象書類名】特許請求の範囲
【補正対象項目名】全文
【補正方法】変更
【補正の内容】
【特許請求の範囲】
【請求項１】
始動条件が成立することにより遊技者にとって有利な特別遊技状態に移行させるか否かを判定する特別遊技判定手段と、
前記特別遊技判定手段による判定の結果に基づいて、所定の演出手段に当該判定の結果を示す演出を行わせることが可能な演出制御手段と、
前記演出制御手段によって前記演出が行われるとき、前記演出に対応する演出音を出力するスピーカーと、
遊技者が操作入力を行うことが可能な操作入力手段と、
前記演出制御手段による前記演出が終了した後において前記始動条件が成立していないとき、前記操作入力手段に対して行われる操作に基づいて前記スピーカーから出力される前記演出音の音量レベルの設定変更を行うことが可能な音量調整手段と、
を備え、
前記演出制御手段は、前記演出で前記判定の結果を示した後において前記始動条件が成立していないときには、前記演出中に出力していた前記演出音を前記演出で前記判定の結果を示した後においても継続して前記スピーカーから出力させ、前記スピーカーから前記演出音が継続して出力されているときにおいて前記音量調整手段が前記操作入力手段に対して行われる操作に基づいて前記音量レベルの設定変更を行っている場合に、前記音量レベルを示す表示を所定の表示手段に表示させることが可能であると共に、前記スピーカーから継続的に出力されている前記演出音の出力レベルを変化させることを特徴とする遊技機。
【請求項２】
前記演出制御手段は、前記始動条件が成立しない状態が所定時間継続すると前記演出音の継続的な出力を終了させることが可能であると共に、前記始動条件が成立しない状態が所定時間継続したときに前記音量調整手段が前記操作入力手段に対して行われる操作に基づいて前記音量レベルの設定変更を行っている場合には、前記演出音の継続的な出力を終了させないで更に継続させることを特徴とする請求項１に記載の遊技機。
【手続補正２】
【補正対象書類名】明細書
【補正対象項目名】０００９
【補正方法】変更
【補正の内容】
【０００９】
上記目的を達成するため、請求項１に係る発明は、遊技機(1)であって、始動条件が成立することにより遊技者にとって有利な特別遊技状態に移行させるか否かを判定する特別遊技判定手段(21a)と、特別遊技判定手段(21a)による判定の結果に基づいて、所定の演出手段に当該判定の結果を示す演出を行わせることが可能な演出制御手段(40)と、演出制御手段(40)によって前記演出が行われるとき、前記演出に対応する演出音を出力するスピーカー(10)と、遊技者が操作入力を行うことが可能な操作入力手段(7)と、演出制御手段(40)による前記演出が終了した後において前記始動条件が成立していないとき、操作入力手段(7)に対して行われる操作に基づいてスピーカー(10)から出力される前記演出音の音量レベルの設定変更を行うことが可能な音量調整手段(45)と、を備え、演出制御手段(40)は、前記演出で前記判定の結果を示した後において前記始動条件が成立していないときには、前記演出中に出力していた前記演出音を前記演出で前記判定の結果を示した後においても継続してスピーカー(10)から出力させ、スピーカー(10)から前記演出音が継続して出力されているときにおいて前記音量調整手段(45)が前記操作入力手段(7)に対して行われる操作に基づいて前記音量レベルの設定変更を行っている場合に、前記音量レベルを示す表示を所定の表示手段に表示させることが可能であると共に、スピーカー(10)から継続的に出力されている前記演出音の出力レベルを変化させることを特徴とする構成である。
請求項２に係る発明は、請求項１に記載の遊技機(1)において、前記演出制御手段(40)は、前記始動条件が成立しない状態が所定時間継続すると前記演出音の継続的な出力を終了させることが可能であると共に、前記始動条件が成立しない状態が所定時間継続したときに前記音量調整手段(45)が前記操作入力手段(7)に対して行われる操作に基づいて前記音量レベルの設定変更を行っている場合には、前記演出音の継続的な出力を終了させないで更に継続させることを特徴とする構成である。
【手続補正書】
【提出日】平成28年9月6日(2016.9.6)
【手続補正１】
【補正対象書類名】特許請求の範囲
【補正対象項目名】全文
【補正方法】変更
【補正の内容】
【特許請求の範囲】
【請求項１】
演出において動作可能に設けられた可動役物と、
前記可動役物を駆動する駆動手段と、
前記駆動手段を制御して前記可動役物を動作させる駆動制御手段と、
前記可動役物が所定位置にあることを検出する検出手段と、を備え、
前記駆動制御手段は、
演出を行う際に、当該演出に関連して予め設定された駆動力で前記可動役物を動作させるように前記駆動手段を制御し、
前記検出手段による前記所定位置の検出がなされない場合に行われる再試行動作において、当該演出での動作開始時の回転速度で当該再試行動作を開始し、当該回転速度を維持することで当該可動役物を動作させるように当該駆動手段を制御し、
前記再試行動作は、予め定められた所定タイミングで行う、ことを特徴とする遊技機。
【手続補正２】
【補正対象書類名】明細書
【補正対象項目名】０００５
【補正方法】変更
【補正の内容】
【０００５】
ここで、可動役物の動作が正常な状態でないことが判明した場合に正常な状態に戻そうとするときには、適正なトルクで駆動制御するのが望ましい。
本発明は、可動役物が正常な状態でないときに正常な状態に戻す制御を実行可能な遊技機を提供することを目的とする。
【手続補正３】
【補正対象書類名】明細書
【補正対象項目名】０００６
【補正方法】変更
【補正の内容】
【０００６】
本発明が適用される遊技機は、演出において動作可能に設けられた可動役物１１５ｂ，１１５ｃと、前記可動役物１１５ｂ，１１５ｃを駆動する駆動手段３５，３６，３７，２１と、前記駆動手段３５，３６，３７，２１を制御して前記可動役物１１５ｂ，１１５ｃを動作させる駆動制御手段３２１と、前記可動役物１１５ｂ，１１５ｃが所定位置（原点）にあることを検出する検出手段９３と、を備え、前記駆動制御手段３２１は、演出を行う際に、当該演出に関連して予め設定された駆動力で前記可動役物１１５ｂ，１１５ｃを動作させるように前記駆動手段３５，３６，３７，２１を制御し、前記検出手段９３による前記所定位置（原点）の検出がなされない場合に行われる再試行動作（リトライ）において、当該演出での動作開始時の回転速度で当該再試行動作（リトライ）を開始し、当該回転速度を維持することで当該可動役物１１５ｂ，１１５ｃを動作させるように当該駆動手段３５，３６，３７，２１を制御し、前記再試行動作は、予め定められた所定タイミングで行う、ことを特徴とするものである。